(57)【要約】【課題】飼料を平均的に散布できる自動飼料散布機を提供すること。【解決手段】飼料収納筒を含み、前記飼料収納筒の底端に飼料排出口を設け、且つ飼料収納筒底端に前記飼料排出口と対応する飼料排出制御部品を連結し、更に飼料排出制御部品の底端に飼料排出制御部品と対応する飼料散布部品を連結し、且つ飼料散布部品の排出口に傾斜ブロックを設ける。飼料排出制御部品によって飼料収納筒から出力される飼料の数量をコントーロールし、受領した飼料を飼料散布部品の中へ運び、遠心力によって飼料を飼料散布部品の外へ散布する。【選択図】図１
0003122338.tif 000002
【実用新案登録請求の範囲】
【請求項１】
自動飼料散布機であって、
底端に飼料排出口を設置した飼料収納筒と、
飼料排出制御部品と、
飼料散布部品と、を含み、
前記飼料排出制御部品には、伝動体及び飼料受領ケースを含み、
前記伝動体は、回転輪及びモーターが相互連結してなり、且つ回転輪の表面に数個の溝を環設し、伝導体の回転輪を飼料受領ケースの中に位置決めし、
一方モーターは飼料受領ケースの外に設置し、且つ前記飼料受領ケースの底端に飼料排出口を設けてあり、
飼料排出制御部品を飼料収納筒の底端に設置することによって、飼料排出制御部品の伝動体の回転輪溝と飼料収納筒の飼料排出口とを対応させてあり、
前記飼料散布部品には、相互に連結されたモーター及び飼料受領体を含み、
前記飼料受領体頂端には飼料補充口を備え、両側にそれぞれ飼料散布口を設置し、且つ飼料受領体両側の飼料散布口の中には、それぞれ傾斜ブロックを設けてあり、
飼料散布部品を飼料収容筒の底端に位置決めすることによって、飼料散布部品の飼料受領体の飼料補充口と飼料排出制御部品の飼料受領ケースの飼料排出口とが対応するようにしたことを特徴とする、
自動飼料散布機。
【請求項２】
前記飼料収納筒は、二層の筒を相互に嵌め合わせてなり、且つその間に発泡体を置くことによって、飼料収納筒に新鮮度保持・断熱及び湿気防止の効能を持たせ、飼料収納筒の頂端に蓋体を被せて飼料収納筒の頂端を封じることを特徴とする、請求項１に記載の自動飼料散布機。
【請求項３】
前記飼料排出口の底端周囲には、保護筒を延伸し、前記保護筒は飼料排出制御部品を遮蔽することが出来、且つ前記保護筒の内壁に位置決めフレームを連結し、前記位置決めフレームを保護筒の外に露出させることによって、飼料散布部品を位置決め連結できることを特徴とする、請求項１に記載の自動飼料散布機。
【請求項４】
前記飼料排出制御部品の回転輪表面の溝は、横向き溝或いは螺旋形溝又はその他の形式の溝であることを特徴とする、請求項１に記載の自動飼料散布機。
【請求項５】
飼料散布部品の構造であって、
飼料受領体と、モーターと、を含み、
前記飼料受領体の頂端に飼料補充口を備え、両側にそれぞれ飼料排出口を設置し、且つ飼料受領体両側の飼料排出口の中にそれぞれ傾斜ブロックを設け、
前記モーターの出力軸を飼料受領体と相互に固着させることによって、モーターが飼料受領体を回転駆動させることを特徴とする、
飼料散布部品の構造。
【考案の詳細な説明】
【技術分野】
【０００１】
本考案は、自動飼料散布機及びその飼料散布部品の構造に関し、特に飼料を自動的・平均的に給餌範囲に散布することによって、まんべんなく餌をやることができるのみならず、人手を省くこともできる自動飼料散布機及びその飼料散布部品の構造に関するものである。
【背景技術】
【０００２】
野生の海の幸や山の幸は入手し難いので、人々がいつでも各種の海の幸や山の幸を賞味できるようにするため、養殖業者が出現し、養殖業者の専門養殖技術によって、海の幸や山の幸の供給が欠乏する心配がないようになった。しかし、養殖業者は専門的な養殖技術を持ってはいるが、飼料をやる時は、まだ人手によって飼育する方式が採用されている。
【０００３】
ところが、人手による飼育方式は下記のような欠点がある。
１．人件費のコストアップを招き、経済的ではない。
２．給餌数量及び給餌面積をコントロール出来ないので飼料の無駄になり、しかも食用されない飼料は、環境を乱し汚染を招く。
３．夜行性動物の場合、夜間も飼育の人手が要り、飼育者の危険性が増える。
このように、上述従来の物品には尚幾多の欠点があり、良い設計とはいいがたく、改良が待たれていた。
【考案の開示】
【考案が解決しようとする課題】
【０００４】
本考案は、上述した従来の養殖飼育方式に派生する各欠点に鑑みて成されたものである。
本考案の目的は、自動化飼育方式を採用することによって、人手による飼育時に派生する欠点を改善すると共に、各種養殖業に適用できる自動飼料散布機及びその飼料散布部品の構造を提供することにある。
本考案のもう一つの目的は、人件費コストを節減し、収穫量をふやし、環境の乱れと汚れ減らし、及び飼料の新鮮度保持を向上させるなど幾多の長所を備えた自動飼料散布機及びその飼料散布部品の構造を提供することにある。
【課題を解決するための手段】
【０００５】
上述した課題を達成するため、本願の第１考案に係る自動飼料散布機及びその飼料散布構造は、飼料収納筒と、飼料排出制御部品及び飼料散布部品と、を含み、前記飼料収納筒は、二層の筒を相互に嵌め合わせてなり、且つ其の間に発泡体を置くことによって、飼料収納筒に鮮度保持・断熱及び湿気防止の効能を持たせ、更に飼料収納筒の頂端に蓋体を設け、底端中央部にほぼロート形状をなした飼料排出口を設け、且つ底端の周囲に保護筒を延伸させてある。前記飼料排出制御部品は伝動体及び飼料受領ケースを含み、前記伝動体には回転輪およびモーターを含む。前記回転輪は、モーターの出力軸と固定結合され、モーターが回転輪を駆動する、且つ回転輪の表面に数個の溝を環設し、前記伝動体の回転輪を飼料受領ケースの中に位置決めし、又モーターを飼料受領ケースの外に設置し、且つ前記飼料受領ケースの底端に飼料排出口を設置してある。飼料排出制御部品を飼料収納筒の底端に設置して、飼料排出制御部品伝動体の回転輪溝を飼料収納筒の飼料排出口と対応させ、且つ前記飼料排出制御部品は飼料収納筒底部の保護筒によって遮蔽され、飼料排出制御部品が飼料収納筒の底部に隠蔽されるようになっている。前記飼料散布部品は、モーター及び飼料受領体を含み、前記飼料受領体は、モーターの出力軸と固定結合され、モーターによって駆動され回転する；前記飼料受領体の頂端にはほぼロート形状をなす飼料補充口を備え、両側にそれぞれ飼料散布口を設置してほぼＴ字型パイプ体を形成すると共に、飼料受領体の両端を上に向かって一定角度傾斜させることによって、飼料を先ず飼料受領体の中央部に収容し、且つ飼料受領体両側の飼料散布口の中にそれぞれ傾斜ブロックを設置してある；前記飼料散布部品は、飼料排出制御部品の底端に位置決めされ、飼料排出制御部品の飼料受領ケースの飼料排出口と飼料散布部品の飼料受領体の飼料補充口とを対応させてある。飼料排出制御部品によって飼料収容筒内の飼料排出量をコントロール且つ受領し、受領した飼料を飼料散布部品へ運び、更に遠心力原理によって飼料を飼料散布部品の外へ排出する、その飼料散布過程において、前記飼料は散布する時に先ず前記飼料散布部品の傾斜ブロックに突き当たる、其の場合飼料粒子の突き当たる点がそれぞれ異なり、又散布される距離も異なるため、飼料が飼料散布部品の周囲に平均的に撒かれ、まんべんなく餌をやる目的を達成できる。
【０００６】
本願の第２考案に係る自動飼料散布機は、前記第１考案において、前記飼料収納筒が、二層の筒を相互に嵌め合わせてなり、且つその間に発泡体を置くことによって、飼料収納筒に新鮮度保持・断熱及び湿気防止の効能を持たせ、飼料収納筒の頂端に蓋体を被せて飼料収納筒の頂端を封じることを特徴とする。
本願の第３考案に係る自動飼料散布機は、前記第１考案において、前記飼料排出口の底端周囲には、保護筒を延伸し、前記保護筒は飼料排出制御部品を遮蔽することが出来、且つ前記保護筒の内壁に位置決めフレームを連結し、前記位置決めフレームを保護筒の外に露出させることによって、飼料散布部品を位置決め連結できることを特徴とする。
本願の第４考案に係る自動飼料散布機は、前記第１考案において、前記飼料排出制御部品の回転輪表面の溝は、横向き溝或いは螺旋形溝又はその他の形式の溝であることを特徴とする。
本願の第５考案に係る飼料散布部品の構造は、飼料受領体と、モーターと、を含み、前記飼料受領体の頂端に飼料補充口を備え、両側にそれぞれ飼料排出口を設置し、且つ飼料受領体両側の飼料排出口の中にそれぞれ傾斜ブロックを設け、前記モーターの出力軸を飼料受領体と相互に固着させることによって、モーターが飼料受領体を回転駆動させることを特徴とする。
【考案の効果】
【０００７】
本考案に係る自動飼料散布機及び其の飼料散布部品の構造は、従来と比べて、つぎのような長所がある、
（１）本考案は、人件費を節約することが出来、自動給餌方式を採用して、人手による給餌に派生する欠点を改善し、且つ各種の養殖業に適用することが出来る。
（２）本考案は、養殖物の数量によって、給餌の量をコントロールし、飼料の無駄を減らすことが出来る。
（３）本考案は、飼料を平均的に給餌の周囲に散布し、飼料散布密度が人工散布より優れ、給餌の面積を増やすことが出来る。
（４）本考案は、定時給餌方式を取り、昼間或いは夜間に拘わらず、自動的に飼料散布を行い、人手による夜間給餌に伴う危険を減らすことが出来る。
【考案を実施するための最良の形態】
【０００８】
図１、図２Ａ，２Ｂ及び図３は、本考案に係る自動飼料散布機及びその飼料散布部品の構造を示す。
【０００９】
本考案に係る自動飼料散布機は主として、飼料収納筒１と、飼料排出制御部品２と、飼料散布部品３とを含む。
前記飼料収納筒１は、二層の筒を相互に嵌め合わせてなり、且つその間に発泡体１１を置くことによって、鮮度保持・断熱及び湿気防止の効能を持たせる。
【００１０】
又、飼料収納筒１の頂端に蓋体１２を設けて飼料収納筒１の頂端を封じ、且つ飼料収納筒１の底端中央部にほぼロート形状をなす飼料排出口１３を設置する。
其の底端周囲には保護筒１４を延伸し、前記保護筒１４内壁に位置決めフレーム１５を連結する。前記位置決めフレーム１５は保護筒１４の外部へ露出している。
【００１１】
前記飼料排出制御部品２には、伝動体２１及び飼料受領ケース２２を含む。
前記伝動体２１は回転輪２１１及びモーター２１２と相互連結してなり、モーター２１２が回転輪２１１を回転させる。
【００１２】
又、回転輪２１１の表面に数個の溝２１３を環設する。前記溝２１３は横向きの溝又は螺旋形溝或いはその他の形式の溝であって良い。
前記伝動体２１の回転輪２１１を飼料受領ケース２２の中に位置決めする。
【００１３】
一方、モーター２１２は飼料受領ケース２２の外に設置し、且つ前記飼料受領ケース２２の底端に飼料排出口２２１を設置してある。
飼料排出制御部品２を飼料収納筒１の底端に設置することによって、飼料排出制御部品２の伝動体２１の回転輪溝２１３を飼料収納筒１の飼料排出口１３と対応させる。
【００１４】
前記飼料排出制御部品２は飼料収納筒１底部の保護筒１４によって遮蔽され、飼料排出制御部品２が飼料収納筒１の底部に隠蔽されている。
【００１５】
前記飼料散布部品３には、モーター３２及び飼料受領体３１を含む。
前記飼料受領体３１は、モーター３２の出力軸と相互固着することによって、モーター３２に駆動されて回転する。
【００１６】
前記飼料受領体３１の頂端にはほぼロート形状をなす飼料補充口３１１を備える。
飼料補充口３１１の両側にそれぞれ飼料排出口３１２を設けることによって、ほぼＴ字型パイプ体を形成し、飼料受領体３１の両端を上向きにある角度傾斜させることによって、飼料を一旦飼料受領体３１の中央部に収容できるようにする。
【００１７】
又、飼料受領体３１両側の飼料排出口３１２の中にそれぞれ傾斜ブロック３１３を設置してある。
飼料散布部品３を飼料収納筒１底端の位置決めフレーム１５の上に置くことによって、飼料散布部品３が飼料排出制御部品２の底端部に位置決めされ、飼料排出制御部品２の飼料受領ケース２２の飼料排出口２２１と飼料散布部品３の受領体３１の飼料補充口３３１とが対応するようになっている。
【００１８】
図４は、本考案の作動略図である。
飼料４を飼料収納筒１の中に入れ、飼料４が飼料収納筒１の底端飼料排出口１３を経由して飼料排出制御部品２の回転輪溝２１３の中へ落ち込む。
【００１９】
モーター２１２が回転輪２１１を持続的に回転すると、前記飼料４は回転輪２１２の影響を受けて、持続的に飼料受領ケース２２の中へ落ち込み、且つ飼料受領ケース２２底端の飼料排出口２２１から飼料排出制御部品２の外へ排出される。
従って、モーター２１２の回転時間によって飼料４の排出量をコントロールすることが出来る。
【００２０】
一方、前記飼料受領ケース２２から落ちた飼料４は、飼料散布部品３の受領体３１頂端の飼料補充口３１１を経由して受領体３１の中へ入る。
【００２１】
この時、前記飼料散布部品３のモーター３２は、飼料排出制御部品２のモーター２１２と同期作動する。
従って、前記受領体３１は回転状態であり、受領体３１の中の飼料４が受領体３１回転の影響を受けて、受領体３１両側の飼料散布口３１２に向かって散布される。
【００２２】
この散布の過程で、前記飼料４は、先ず前記受領体３１両側の傾斜ブロック３１３に突き当たり、飼料４の各粒子が傾斜ブロック３１３に突き当たる衝撃点が異なるため、飼料４が平均的に飼料散布部品３の周囲に散布されて、まんべんなく給餌する目的を達成することが出来る。
【００２３】
尚、前記飼料排出制御部品２及び飼料散布部品３は、タイマー（図示せず）と連結し、タイマーによって飼料排出制御部品２及び飼料散布部品３のモーター２１２・３２の作動時間をコントロールし、自動定時散布給餌の目的を達成しても良い。
【００２４】
又、図５は、本考案の実施例略図である。
前記飼料散布機を陸上で応用する場合は、前記飼料散布機を支持架５の上に立てておくと、陸上で飼料散布給餌を行うことが出来る。
【００２５】
更に図６は、本考案の実施例略図である。
前記飼料散布機を水中にて応用する場合は、前記飼料散布機を、浮き筒６を付設した支持架５の上に置くことによって、水中で飼料散布給餌を行うことが出来る。
【図面の簡単な説明】
【００２６】
【図１】本考案に係る自動飼料散布機及びその飼料散布部品の構造の斜視略図である。
【図２Ａ】本考案に係る自動飼料散布機及びその飼料散布部品の構造の部分分解組み合わせ図である。
【図２Ｂ】本考案に係る自動飼料散布機及びその飼料散布部品の構造の部分分解組み合わせ図である。
【図３】本考案に係る自動飼料散布機及びその飼料散布部品の構造の断面図である。
【図４】本考案に係る自動飼料散布機及びその飼料散布部品の構造の作動断面略図である。
【図５】本考案に係る自動飼料散布機及びその飼料散布部品の構造の第一実施略図である。
【図６】本考案に係る自動飼料散布機及びその飼料散布部品の構造の第二実施略図である。
【符号の説明】
【００２７】
１・・・・・・飼料収納筒
１１・・・・・発泡体
１２・・・・・蓋体
１３・・・・・飼料排出口
１４・・・・・保護筒
１５・・・・・位置決めフレーム
２・・・・・・飼料排出制御部品
２１・・・・・伝動体
２１１・・・・回転輪
２１２・・・・モーター
２１３・・・・溝
２２・・・・・飼料受領ケース
２２１・・・・飼料排出口
３・・・・・・飼料散布部品
３１・・・・・受領体
３１１・・・・飼料補充口
３１２・・・・飼料散布口
３１３・・・・傾斜ブロック
３２・・・・・モーター
４・・・・・・飼料
５・・・・・・支持架
６・・・・・・浮き筒
【図１】
0003122338.tif 000003
【図２Ａ】
0003122338.tif 000004
【図２Ｂ】
0003122338.tif 000005
【図３】
0003122338.tif 000006
【図４】
0003122338.tif 000007
【図５】
0003122338.tif 000008
【図６】
0003122338.tif 000009